(57)【要約】      （修正有）【課題】ピックアップと動力機構の間に同期ずれが発生した場合でも、ディスク装置内部に大きなダメージを与えることなく、ピックアップと動力機構の間の同期を復帰させる。【解決手段】ピックアップ１３を備えた移動体１２の移動方向に延長して移動体１２に設けたラックギアＧ１０と、ラックギアＧ１０と噛合うピニオンギアＧ８と、移動体１２の移動終端位置に対応してラックギアＧ８に対する動力伝達を解除する動力伝達解除手段としてのカムギアＧ９を備える。カムギアＧ９にはカム溝１５が形成されており、カム溝１５の溝幅はギアＧ５をギアＧ７に噛合わせてピックアップ１３を移動させる領域では、ピン９−ａと略同じ幅であるが、ピックアップ１３の移動終端位置に対応する部分は、ギアＧ５をギアＧ７から反す方向に切替レバー９が移動できるようにピン９−ａより幅広の空間１５−ｂ１、１５−ｂ２を形成してある。【選択図】図１
2009070448.tif 000002
【特許請求の範囲】
【請求項１】
ピックアップを搭載した移動体と、前記移動体の移動方向に延長して該移動体に設けたラックギアと、前記ラックギアと噛合うピニオンギアと、前記ラックギアを初期位置方向に付勢する付勢部材と、前記ピニオンギアを含むピックアップ送り機構とディスク搬送機構との間で動力切替を行う切替えレバーを有するディスク装置において、前記移動体の移動終端位置に対応して前記ラックギアに対する動力伝達を解除する動力伝達解除手段を備えたことを特徴とするディスク装置。
【請求項２】
動力伝達解除手段は、ピニオンギアに対する動力伝達を解除する方向に切替えレバーを回動させる空間を、前記切替えレバーが当接するカムギアのカム面の終端部に設けたことを特徴とする請求項１記載のディスク装置。
【請求項３】
動力伝達解除手段は、移動体の移動終端位置に対応するラックギアを湾曲可能に構成したことを特徴とする請求項１記載のディスク装置。
【請求項４】
動力伝達解除手段は、ラックギアの終端部に欠歯部を設けたことを特徴とする請求項１記載のディスク装置。
【発明の詳細な説明】
【技術分野】
【０００１】
この発明は、ディスク搬送とピックアップ送りとを単一の動力源で行うディスク装置に関するものである。
【背景技術】
【０００２】
この種のディスク装置は、ディスク搬送とピックアップ送り動作との間で動力切替が必要である。安定した動力切替を行うために、カムギアを用いて動力切替を行う機構では、ピックアップ位置とカムギアの回転角との間で同期が必要である。
そこで、従来は例えば特許文献１に示されるように、歯列と欠歯部とを有する駆動ギアを用いてピックアップを駆動させ、ピックアップの送り動作、停止動作を行っている。
【０００３】
【特許文献１】特開２００６−１９０５０８（（００１９）、図２）
【発明の開示】
【発明が解決しようとする課題】
【０００４】
従来のディスク装置は以上のように構成されているので、例えば落下等の突発的な衝撃によりピックアップと動力機構の同期がずれた場合、ピックアップが正常な位置へ移動できないため、ディスクの再生や取出しができなくなるという課題があった。
【０００５】
この発明は上記のような課題を解決するためになされたもので、ピックアップと動力機構の間に同期ずれが発生した場合でも、ディスク装置内部に大きなダメージを与えることなく、ピックアップと動力機構の間の同期を復帰させることができるディスク装置を得ることを目的とする。
【課題を解決するための手段】
【０００６】
この発明に係るディスク装置は、ピックアップを搭載させた移動体の移動終端位置に対応してラックギアに対する動力伝達を解除する動力伝達解除手段を備えたものである。
【発明の効果】
【０００７】
この発明によれば、ピックアップを搭載させた移動体の移動終端位置に対応してラックギアに対する動力伝達を解除する動力伝達解除手段を備えた構成であるから、ピックアップと動力機構の間に同期ずれが発生して、移動体が装置本体に当接して移動できなくなっときは、ラックギアに対する動力伝達を解除して動力機構のみ作動を続け、ピックアップと動力機構の間の同期を自動的に復帰させることができる。
【発明を実施するための最良の形態】
【０００８】
実施の形態１．
図面はこの発明の実施の形態１によるディスク再生装置の動力切替部を示す図であり、図１はピックアップをディスクの内周側の初期位置に保持し動力をディスク搬送機構に伝達している状態を示す平面図、図２は図１のＡ−Ａ線に沿う横断面図、図３は動力をディスク搬送機構側からピックアップ送り機構側に切替えることを開始した状態を示す平面図、図４は動力をピックアップ送り機構側に切替えた状態を示す平面図である。
【０００９】
図において、再生部のシャーシ１には、多数の軸２から軸８がそれぞれ所定の間隔をあけて設けられている。軸２には不図示の動力源としてのモータにより駆動されるギアＧ１が回転可能に支持されている。軸３にはギアＧ１に噛合うギアＧ２と小径ギアＧ３および切替レバー９が回転可能に支持されている。軸４にはギアＧ２と噛合うギアＧ４が回転可能に支持されている。軸５にはギアＧ３と噛合うカムギアＧ９が回転可能に支持されている。このカムギアＧ９にはその一部に欠歯部Ｇ９−ａが形成されている。軸６にはギアＧ６が回転可能に支持されており、このギアＧ６は不図示のディスク搬送機構に動力を伝達するように構成されている。軸７にはギアＧ７とピニオンギアＧ８が回転可能に支持されている。軸８にはターンテーブル１４が回転可能に支持されている。
【００１０】
ピックアップ１３を備えたピックアップ本体である移動体１２は、不図示のガイド部材によってディスク、つまり、ターンテーブル１４の半径方向に移動可能に支持されており、その一端側に移動方向に延長して設けられた腕部１２−ａには上記ピニオンギアＧ８が噛合うラックギアＧ１０が形成されている。また、上記切替レバー９には軸１０が設けられ、この軸１０にはギアＧ３と噛合うギアＧ５が回転可能に支持されている。ここで、上記のギアＧ７とピニオンギアＧ８およびラックギアＧ１０とでピックアップ送り機構を構成している。
【００１１】
上記カムギアＧ９には、カム溝１５が形成されており、カム溝１５のカム面１５−ａには切替レバー９に設けたピン９−ａが当接係合している。このカム溝１５の溝幅はギアＧ５をギアＧ７に噛合せてピックアップを移動させる領域では、ピン９−ａと略同じ幅であるが、ピックアップの移動終端位置に対応する部分は、ギアＧ５をギアＧ７から離す方向に切替レバー９が移動できるようにピン９−ａより幅広の空間１５−ｂ１，１５−ｂ２を形成して、動力伝達解除手段を構成している。切替レバー９はコイルスプリング等の付勢部材１８により反時計方向の回動力が付与され、カム面１５−ａに対するピン９−ａの当接係合が維持されている。
【００１２】
次に動作について説明する。
図１、図２はギアＧ４がカムギアＧ９の欠歯部Ｇ９−ａに対向位置し、カムギアＧ９には動力が付与されず該カムギアは図示位置に停止している。この状態において、ギアＧ１−ギアＧ２−ギアＧ３−ギアＧ５の動力伝達系を介してディスク搬送側のギアＧ６に動力を伝えている。
図１の状態において、外部より不図示のディスクが挿入されると、このディスクは上記ギアＧ６により伝送されている動力により回転駆動されるディスク搬送ローラ（図示せず）によって、ターンテーブルの軸線上に搬送される。そして、ディスクがターンテーブル１４の軸線上に搬送された後、ターンテーブル１４上に降下する動作に連動して、不図示の部材によってカムギアＧ９が反時計方向に少し回されてギアＧ３に噛合い図３の状態となる。
この噛合い後は、カムギアＧ９はギアＧ４から動力を受けて反時計方向に回転を続け、この回転に伴うカム面１５−ａの変化に追従して、切替レバー９が付勢部材１８の付勢力を受けて軸３を支点にして反時計方向に回動する。そして、切替レバー９のピン９−ａがカム面１５−ａの領域１５−θ１を移動することによる該切替レバーの回動によって、ギアＧ５がギアＧ６から離れてギアＧ７と噛合う。
【００１３】
図４は上記のように切替レバー９の回動により、ギアＧ１−ギアＧ２−ギアＧ３−ギアＧ５の動力伝達系をピックアップ送り機構側に切替えられた状態を示す。この図４の状態において、ギアＧ１−ギアＧ２−ギアＧ３−ギアＧ５の動力伝達系によって、ギアＧ７−ピニオンギアＧ８−ラックギアＧ１０を介して移動体１２に動力を伝達し、移動体１２に搭載したピックアップ１３をターンテーブル１４の半径方向に移動させる。このとき、不図示の動力源によってターンテーブル１４を回転させており、このターンテーブル１４上に搭載されたディスクを再生する。
【００１４】
この再生動作において、カムギアＧ９はギアＧ４から動力を受けて回転を続けているが、切替レバー９はカム面１５−ａの領域１５−θ２を移動することによって、ギアＧ１−Ｇ２−Ｇ３−Ｇ５の動力伝達系およびギアＧ７−ピニオンギアＧ８−ラックギアＧ１０を介して動力伝達を維持する。
【００１５】
一方、図５の２点線位置まで移動してディスクの再生を終了した後、不図示の駆動源としてのモータを逆回転させると、ギアＧ１−Ｇ２−Ｇ３−Ｇ５の動力伝達系によってピニオンギアＧ８の回転を逆転させる。このため、ラックギアＧ１０を介して図５の実線位置、つまり、ターンテーブルの内周側に移動体１２が戻る。そして、切替レバー９のピン９−ａがカムギアＧ９のカム面１５−ａの領域１５-θ１に作用すると、切替レバー９はカムギアＧ９の回転にしたがって図４の状態からディスク搬送状態に切り替わる。
【００１６】
上記の動作において、移動体１２が移動終端位置において停止するのとラックギアＧ１０に対する動力伝達解除との間に同期ずれが発生した場合は、カム面１５−ａに当接する切替レバー９のピン９−ａが空間１５−ｂ１，１５−ｂ２内をカムギアＧ９の中心側に移動できるため、ギアＧ５の歯が該ギアに加えられる動力によってピニオンギアＧ８の歯を乗り越えるように回動する。この回動により、同期ずれが自動的に修正される。
【００１７】
以上のように、この実施の形態１によれば、ピックアップと動力機構の間に同期ずれが発生した場合でも、ディスク装置内部に大きなダメージを与えることなく、自動的にその同期ズレを解消して、正常な動作に復帰することができるという効果がある。
【００１８】
実施の形態２．
図面はこの発明の実施の形態２によるディスク装置の動力切替部を示す図であり、図５は動力切替レバー９をピックアップ送り機構側に切替え、移動体１２が動作開始位置に位置する状態を示す平面図である。移動体１２の動作終了位置、つまり、動作開始位置あるいは動作終了位置に位置するとき、ピニオンギアＧ８が噛合うラックギアＧ１０に対応するラックギア形成腕部１２−ａに穴１２−ｂ，１２−ｃを形成して、ラックギアＧ１０を湾曲するように形成して、動力伝達解除手段を構成している。
【００１９】
以上のように、この実施の形態２によれば、移動体１２の動作開始位置あるいは動作終了位置に対応するラックギアＧ１０を湾曲するように形成しているので、移動体１２と動力機構の間に同期ずれが発生した場合にピニオンギアＧ８からラックギアＧ１０に回転力が加わったとき、ピニオンギアＧ８からラックギアＧ１０に加えられる回転力によって該ラックギアを湾曲させる。これにより、ピニオンギアＧ８の歯はラックギアＧ１０の歯を乗り越えて、ピニオンギアＧ８からラックギアＧ１０への動力伝達が解除され、ピニオンギアＧ８は動作を継続することができ、ディスク装置内部に大きなダメージを与えることなく、自動的にその同期ズレを解消して、正常な動作に復帰することができるという効果がある。
【００２０】
実施の形態３．
図面はこの発明の実施の形態３によるディスク装置の動力切替部を示す図であり、図６は動力切替レバー９をピックアップ送り機構側に切替え、移動体１２が動作終端位置に位置する状態を示す平面図である。移動体１２の動作終了位置、つまり、動作開始位置あるいは動作終了位置に位置するとき、ピニオンギアＧ８に対するラックギアＧ１０の両端部に欠歯部Ｇ１０−ａ、Ｇ１０−ｂを形成している。
【００２１】
以上のように、この実施の形態３によれば、移動体１２が動作開始位置あるいは動作終了位置に対応するとき、ピニオンギアＧ８に対するラックギアＧ１０に欠歯部Ｇ１０−ａ、Ｇ１０−ｂを形成しているので、ピックアップと動力機構の間に同期ずれが発生して、移動体１２が移動できない状態になった場合でも、ピニオンギアＧ８はラックギアＧ１０の欠歯部に対応して回転することができる。この結果、ピニオンギアＧ８は動作を継続することができ、ディスク装置内部に大きなダメージを与えることなく、自動的にその同期ズレを解消して、正常な動作に復帰することができるという効果がある。
なお、移動体１２の動作が反転したときには、移動体１２は常に付勢部材１９により一定方向に付勢されているので、ピニオンギアＧ８が逆回転すれば直ちにラックギアＧ１０と噛合い移動可能となる。
【図面の簡単な説明】
【００２２】
【図１】実施の形態１によるピックアップをターンテーブの内周側に保持した状態を示す平面図である。
【図２】図１のＡ−Ａ線に沿う横断面図である。
【図３】動力をディスク搬送機構側からピックアップ送り機構側に切替えることを開始した状態を示す平面図である。
【図４】動力をピックアップ送り機構側に切替えた状態を示す平面図である。
【図５】実施の形態１による動力切替レバーをピックアップ送り機構側に切替え、ピックアップ本体が動作開始位置に位置する状態を示す平面図である。
【図６】実施の形態１による動力切替レバーをピックアップ送り機構側に切替え、ピックアップ本体が動作終端位置に位置する状態を示す平面図である。
【符号の説明】
【００２３】
１  シャーシ、２〜８，１０  軸、９  動力切替レバー、１１  ロックレバー、１２  ピックアップ本体、１２−ｂ，１２−ｃ  穴、１３  ピックアップ、１５，１６  カム溝、１５−ａ，１６−ａ  カム面、１５−ｂ，１５−ｃ  幅広部、１７  補助壁、１８，１９  付勢部材、Ｇ１〜Ｇ８  ギア、Ｇ９  カムギア、Ｇ１０  ラックギア、Ｇ１０−ａ，Ｇ１０−ｂ  欠歯部。
【図１】
2009070448.tif 000003
【図２】
2009070448.tif 000004
【図３】
2009070448.tif 000005
【図４】
2009070448.tif 000006
【図５】
2009070448.tif 000007
【図６】
2009070448.tif 000008